(57)【特許請求の範囲】
【請求項１】
アスベスト等の有害物を取り扱うべく周囲より気密裡に隔離されてその内部が負圧状態に維持される隔離エリアに付設され、該隔離エリア内の負圧状態を維持しつつ、かつ該隔離エリアから外部への有害物の流出を防止しつつ、該隔離エリア内に作業員が出入りするための通路として機能するとともに、該隔離エリア内が負圧状態に維持されることにより生じている内外の差圧によって外部より隔離エリア内に流入する空気の流入経路としても機能する前室設備であって、
前記隔離エリアへの出入口の外側に配置された前室と、該前室に通じる洗浄室と、該洗浄室に通じる更衣室とにより構成されて、前記更衣室に外部に通じる出入口が設けられ、
前記洗浄室に有害物を吸引除去するための洗浄装置が設置されているとともに、該洗浄室と前記前室との間、および該洗浄室と前記更衣室との間には、前記洗浄装置を使用する際に閉じられて該洗浄室を前記更衣室および前記前室の双方に対して気密裡に区画可能な気密扉がそれぞれ設置され、
かつ、前記更衣室と前記前室との間には、前記洗浄室をバイパスしてそれら更衣室と前室とを直接連通させるバイパスダクトが設けられているとともに、該バイパスダクトには更衣室から前室への空気の流入を可能としかつ前室から更衣室への空気の逆流を防止する逆流防止機構が設けられていることを特徴とする隔離エリアへの前室設備。
【請求項２】
請求項１記載の隔離エリアへの前室設備であって、
前記逆流防止機構は、自重により閉じかつ前記更衣室から前記前室への空気の流入により自重に抗して開かれる柔軟なシート材を弁体とする逆流防止弁であることを特徴とする隔離エリアへの前室設備。
【発明の詳細な説明】
【技術分野】
【０００１】
本発明は、アスベスト等の有害物を取り扱ってその除去作業や無害化処理等の各種作業を行うための隔離エリアに付設される前室設備に関する。
【背景技術】
【０００２】
アスベストが使用されている建物を解体撤去したり、建物内においてアスベストの除去作業を実施するような場合には、アスベストが周囲に飛散することを確実に防止する必要がある。そのため、従来一般には作業領域をシート材により区画して周囲より気密裡に隔離するとともに、その隔離エリアの内部から強制排気を行って隔離エリア内を常に負圧に維持することにより、アスベストが隔離エリア外に流出したり漏出することを防止するようにしている。
【０００３】
その場合、作業員が外部から隔離エリア内に出入りするための出入口には、その出入口を通してアスベストが不用意に流出したり漏出することを防止できるばかりでなく、隔離エリア内の負圧状態を維持しつつ作業員が出入りできるような機能が必要であり、したがって従来一般にはそのような機能を備える前室設備を隔離エリアへの出入口の外側に設置するようにしている。
図３〜図４はそのための従来の前室設備５の一例を示すものである。これは特許文献１に示されている石綿除去作業者用クリーンルームと同様のものであって、隔離エリア１への出入口の外側に前室１１、洗浄室１２、更衣室１３の３室を区画形成するとともに、洗浄室１２にエアシャワー装置等の洗浄装置１４を設置したものである。  
【０００４】
この前室設備５では、作業者が外部から隔離エリア１に入る際には、更衣室１３で作業衣に着替えるとともにマスクやメガネ等の保護具を装着してから、洗浄室１２、前室１１を通って隔離エリア１に入ることになる。
また、作業者が隔離エリア１から外部に出る際には、まず前室１１において保護具を装着したまま作業衣を脱ぎ、洗浄室１２でエアシャワーを浴びて身体に付着しているアスベストを払い落とし吹き飛ばして吸引除去したうえで、更衣室１３で保護具を外して外部に出るという手順を踏むことになる。
勿論、前室１１で脱いだ作業衣にはアスベストが付着しているのでそれは別途回収されて清浄化され、エアシャワーにより払い落とされ吹き飛ばされたアスベストは洗浄装置１４が備えるフィルターあるいは別途備えられる適宜のフィルターにより捕集されて回収されることになる。
【０００５】
そして、上記の前室設備５は作業員の出入りのための単なる通路としてのみならず、外部から隔離エリア１内への空気の流入経路としても機能し、それによりこの前室設備１０を通してのアスベストの流出を防止し、かつ隔離エリア１内を適正な負圧に維持する機能も併せ持つものである。
すなわち、隔離エリア１内には負圧除じん機２が設置されていて、その負圧除じん機２によって隔離エリア１内から常時強制排気がなされることにより隔離エリア１内は常に適正な負圧に維持されるのであるが、その排気量に見合う空気が前室設備５を通して隔離エリア１内に常に吸引されて流入するようになっており、したがって前室設備５内においては隔離エリア１から外部に向かうような逆流が生じる余地がなく、それ故にこの前室設備５を通してのアスベストの流出や漏出が確実に防止されるようになっている。
そして、前室設備５を通して流入する流入外気に対して適度の圧力損失を与えるべく、図４に示すように隔離エリア１に設けられている出入口に加えて前室設備５の各室間および更衣室１３にもそれぞれ出入口が設けられており、かつそれらの出入口にはそれぞれビニールシート等の柔軟なシート材による簡易扉３が設けられている。それらの簡易扉３はそれぞれ内外の差圧に応じて自ずと内側に適度に開かれる（より正確には、風圧によりあおられて内側になびくことによって自ずと若干の隙間が形成される）ようになっており、それにより外部からこの前室設備５を通って隔離エリア１に流入する空気流には適度の通風抵抗すなわち圧力損失が生じ、その圧力損失相当分の負圧が隔離エリア１内に維持されるようになっている。
【特許文献１】特開平２００７−３０３１６５号公報
【発明の開示】
【発明が解決しようとする課題】
【０００６】
ところで、上記の前室設備５における洗浄室１２に備えられている洗浄装置１４は、大風量・大風圧のエアシャワーを作業員に吹き付けることによって作業員に付着しているアスベストを払い落とし吹き飛ばすものであり、したがってこれを使用する際にはアスベストの不用意な飛散を防止するために洗浄室１２を密閉することが好ましい。
しかし、上述したように従来の前室設備５は隔離エリア１への空気の流入経路を兼ねていることから、洗浄室１２の前後にはシート材からなる簡易扉３が設けられているに過ぎず、そのような簡易扉３では洗浄室１２を密閉することは困難である。
勿論、洗浄室１２を密閉するために敢えてその前後の簡易扉３をたとえば気密扉に変更するようなことは、空気の流入経路が遮断されてしまって隔離エリア１内が過度の負圧になって崩壊してしまう懸念があるし、それを防止するために前室設備５以外のどこかに別途流入経路を確保するようなことは前室設備５内に逆流が生じてアスベストが流出してしまう懸念があり、いずれも好ましくないし現実的ではない。
【０００７】
上記事情に鑑み、本発明はこの種の前室設備における洗浄室を密閉することが可能であり、かつ空気の流入経路としても支障なく機能し得る有効適切な前室設備を提供することを目的とする。
【課題を解決するための手段】
【０００８】
本発明は、アスベスト等の有害物を取り扱うべく周囲より気密裡に隔離されてその内部が負圧状態に維持される隔離エリアに付設され、該隔離エリア内の負圧状態を維持しつつ、かつ該隔離エリアから外部への有害物の流出を防止しつつ、該隔離エリア内に作業員が出入りするための通路として機能するとともに、該隔離エリア内が負圧状態に維持されることにより生じている内外の差圧によって外部より隔離エリア内に流入する空気の流入経路としても機能する前室設備であって、前記隔離エリアへの出入口の外側に配置された前室と、該前室に通じる洗浄室と、該洗浄室に通じる更衣室とにより構成されて、前記更衣室に外部に通じる出入口が設けられ、前記洗浄室に有害物を吸引除去するための洗浄装置が設置されているとともに、該洗浄室と前記前室との間、および該洗浄室と前記更衣室との間には、前記洗浄装置を使用する際に閉じられて該洗浄室を前記更衣室および前記前室の双方に対して気密裡に区画可能な気密扉がそれぞれ設置され、かつ、前記更衣室と前記前室との間には、前記洗浄室をバイパスしてそれら更衣室と前室とを直接連通させるバイパスダクトが設けられているとともに、該バイパスダクトには更衣室から前室への空気の流入を可能としかつ前室から更衣室への空気の逆流を防止する逆流防止機構が設けられていることを特徴とする。
【０００９】
本発明における逆流防止機構としては、自重により閉じかつ更衣室から前室への空気の流入により自重に抗して開かれる柔軟なシート材を弁体とする逆流防止弁が好適に採用可能である。
【発明の効果】
【００１０】
本発明の前室設備によれば、洗浄室の前後に気密扉を設けたので、洗浄時にアスベストが不用意に飛散してしまうことを防止することができる。
また、洗浄室をバイパスするバイパスダクトを設けたので、洗浄室を気密扉により密閉しても前室設備を空気流入経路として支障なく機能させることができ、そのため他に格別の空気流入経路を設ける必要はないし、前室設備を通して外部への逆流が生じることもない。
さらに、バイパスダクトには逆流防止機構を備えているので、万一隔離エリア側が正圧になっても、隔離エリアから外部への空気の逆流を有効に防止することができる。
【００１１】
特に、逆流防止機構としてシート材を弁体とする逆流防止弁を用いることにより、充分な逆流防止機能を備えているばかりでなく、弁体の目視観察により空気流通状況を確認することができ、それにより隔離エリアが適正な負圧状態に維持されているかどうかを確認することができる。
【発明を実施するための最良の形態】
【００１２】
図１〜図２は本発明の一実施形態である前室設備１０を示すものである。これは図３〜図４に示した従来の前室設備５を改良したものであり、以下で説明する点を除いて基本的には従来のものと同様に設置され同様に使用されるものであるので、両者に共通の要素には共通の符号を付して説明を簡略化する。
【００１３】
本実施形態の前室設備１０は、従来のものと同様に前室１１、洗浄室１２、更衣室１３からなり、洗浄室１２にはエアシャワー装置等の洗浄装置１４を設置し、また全体として４重の出入口を設けるものであり、かつ隔離エリア１の内外に生じる差圧によって外部空気を隔離エリア１に流入させるための空気流入経路としても機能するものであるが、本実施形態の前室設備１０においては洗浄室１２の前後の出入口に対しては従来のシート材による簡易扉３に代えて気密扉１５を設けて洗浄室１２を密閉可能としている点が特徴的である。
【００１４】
すなわち、従来においては前室設備５それ自体を空気流通路として機能させるために全ての出入口にシート材による簡易扉３を設けていたのに対し、本実施形態では隔離エリア１への出入口と更衣室１３への出入口に対しては同様にシート材による簡易扉３を設けているが、前室１１と洗浄室１２との間の出入口、および洗浄室１２と更衣室１３との間の出入口には鋼製あるいは木製ないし硬質樹脂製の気密扉１５を設けて、洗浄室１２を使用する際にはそれらの気密扉１５を閉じることで洗浄室１２を密閉でき、それにより洗浄時にアスベストが不用意に吹き飛ばされることが防止されるようになっている。
【００１５】
そして、そのような気密扉１５を設けたことに伴ってこれら気密扉１５を閉じた状態では前室設備１０を通しての隔離エリア１への空気流入は阻害されてしまうことから、本実施形態ではそれを補償するべく、洗浄室１２の上部にバイパスダクト１６を設け、かつそのバイパスダクト１６には逆流防止機構１７を備えている。
バイパスダクト１６はその両端が前室１１と更衣室１３に開放されてそれら両室を直接連通する状態で（つまり洗浄室１２をバイパスする状態で）設置されており、その断面は隔離エリア１内を適正な負圧に維持するために必要とされる空気流入量を考慮して適正な圧力損失が生じるように設定し、通常は通過流速が0.1〜5.0m/s程度の範囲内に納まるようにすると良いが、洗浄室１２の有効天井高さがあまり小さくならないように設置スペースを考慮して図示しているように扁平な角形断面とすることが好ましい。
【００１６】
本実施形態における逆流防止機構１７は、隔離エリア１を形成しているシート材や簡易扉３として使用されているシート材と同素材の柔軟なシート材（たとえば厚さ0.15mmのポリエチレンシート）を弁体１８とする逆流防止弁であって、その弁体１８の上部が揺動可能に固定されて自然状態では自重により垂下する状態でバイパスダクト１６の先端全体を閉じるものであり、したがって仮に前室１１側が更衣室１３側よりも正圧となった場合には弁体１８がバイパスダクト１６の先端に対して押圧せしめられてバイパスダクト１６を閉じ、それにより前室１１から更衣室１３側に向かうような空気流の逆流が生じることを有効に防止できるものである。
【００１７】
そして、この逆流防止機構１７は、隔離エリア１を使用するに際してその内部が負圧とされてその内外に差圧が生じている際には、前室１１と更衣室１３との間の差圧によって弁体１８が自重に抗して自ずと開かれるものである。つまり、図２に示しているように弁体１８が簡易扉３と同様に風圧によりあおられて内側になびくことによってバイパスダクト１６との間に自ずと若干の隙間が形成され、それによりバイパスダクト１６の先端が開放されて更衣室１３と前室１１とを直接的に連通する一連の空気流入経路が確保されるようになっている。
したがって、本実施形態の前室設備１０では、外部からの空気が簡易扉３を通って更衣室１３に吸引され、その空気は更衣室１３からバイパスダクト１６を通って（つまり洗浄室１２をバイパスして）前室１１に流入し、前室１１から簡易扉３を通って隔離エリア１に流入することになり、これにより、洗浄室１２の前後の気密扉１５を閉じた場合であっても空気流入経路が支障なく確保されて隔離エリア１内を適正な負圧に維持できるものであるし、隔離エリア１が過度の負圧になったり、前室設備１０内で逆流が生じる余地もない。
【００１８】
以上のように、本発明の前室設備１０によれば、洗浄室１２の前後に気密扉１５を設けたので、洗浄時にアスベストが不用意に飛散してしまうことを防止することができる。
また、洗浄室１２をバイパスするバイパスダクト１６を設けたので、洗浄室１２を気密扉１５により密閉しても前室設備１０を空気流入経路として支障なく機能させることができ、そのため他に格別の空気流入経路を設ける必要はないし、前室設備１０を通して外部への逆流が生じることもない。
さらに、バイパスダクト１６には逆流防止機構１７を備えているので、万一隔離エリア１側が正圧になっても、隔離エリア１から外部への空気の逆流を有効に防止することができる。
【００１９】
しかも、逆流防止機構１７としてシート材を弁体１８とする逆流防止弁を用いているので、充分な逆流防止機能を備えているばかりでなく、弁体１８の目視観察により空気流通状況を確認することができ、それにより隔離エリア１が適正な負圧状態に維持されているかどうかを容易に確認することができる。
つまり、従来においては隔離エリア１内が適正な負圧となっているかどうかを確認するために隔離エリア１内の圧力を微差圧計により直接計測したり、あるいは前室設備５内を適正に空気が流通しているかどうかを確認するためにスモークを流してテストを行ったりする必要があったが、本実施形態の前室設備１０による場合にはそれらの作業に代えて逆流防止機構１７の弁体１８を目視観察することで足り、そのような簡便かつ単純な手法により作業の軽減と施設全体の安全性、信頼性の向上にも寄与し得る。
【００２０】
以上で本発明の一実施形態を説明したが、上記実施形態はあくまで好適な一例であって、本発明は上記実施形態に限定されることなく、たとえば以下に列挙するような様々な設計的変形や応用が可能である。
【００２１】
上記実施形態では前室設備１０の内部を３室に区画することによってその中央を洗浄室１２とする構成としたが、洗浄室１２を独立のユニットとして構成し、その両側に前室１１と更衣室１３とを気密裡に連結する構成とすることも考えられる。
その場合、洗浄室１２としてのユニットには、その両側に気密扉１５を取り付けておき、内部あるいは外部に洗浄装置１４に設置しておき、天井部にはバイパスダクト１６と逆流防止機構１７を組み込んでおけば良く、そのようなユニットを適宜の規格、仕様で工場製作しておけば、それを現地に搬入してその前後に前室１１と更衣室１３とを設置することのみで前室設備１０の全体を簡単に設置することができるし、そこでの作業が終了した後には適宜の清浄化処理を行ったうえで他の作業施設において転用して繰り返し使用することも可能である。
勿論、洗浄室１２のみならず前室１１や更衣室１３も含めた全体を一体化したユニットとしたり、各室のそれぞれを適宜連結可能な所望規格のユニットとして工場製作することも可能である。
【００２２】
前室設備１０を構成している各室の形状や寸法は少なくとも隔離エリア１への作業員の通路として機能し得るものであれば任意であり、多人数が同時に使用し得るような大型のものとすることも考えられる。
また、上記実施形態のように各室を一列に配置するばかりでなくＬ型に配置することも考えられる。その場合には上記実施形態のように洗浄室１２の対向している２壁面に対して前室１１と更衣室１３を連設ないし連結することに代えて、それらを直交状態で隣り合う２壁面に対して連設ないし連結し、その２壁面にそれぞれ気密扉１５を設ければ良い。
【００２３】
勿論、バイパスダクト１６の断面形状やその大きさ、設置位置、逆流防止機構１７の構成も、上記実施形態で説明したような機能と性能を満足し得るものであれば良く、その限りにおいて具体的な構成は様々に変更可能である。
【００２４】
さらに、上記実施形態では前室１１から隔離エリア１への出入口と、外部から更衣室１３への出入口については従来と同様にシート材による簡易扉３としたが、それらの出入口にも洗浄室１２の前後に設けたような気密扉１５を設けることも考えられる。但し、その場合においても上記実施形態のように更衣室１３、バイパスダクト１６、前室１１を通して外部から隔離エリア１に空気を流入させるための流入経路を確保する必要があり、したがって隔離エリア１と前室１１との間および更衣室１３と外部との間には、たとえば気密扉１５に通気用のガラリを設けておく等して空気流通経路を確保する必要がある。
【００２５】
なお、上記実施形態は既存建物を対象とするアスベストの除去作業を行う場合の適用例を想定したものであるが、本発明の前室設備はそのような場合のみならず、隔離エリア内を負圧にして有害物の飛散を防止する必要のある施設、たとえば汚染物質の清浄化処理を行うための処理施設等にも広く適用可能であることは言うまでもない。
【図面の簡単な説明】
【００２６】
【図１】本発明の実施形態である前室設備の概略構成を示す全体平面図である。
【図２】同、立断面図（図１におけるII−II線視図）である。
【図３】従来一般の前室設備の概略構成を示す全体平面図である。
【図４】同、立断面図（図３におけるIV−IV線視図）である。
【符号の説明】
【００２７】
１  隔離エリア
２  負圧除じん機
３  簡易扉
１０  前室設備
１１  前室
１２  洗浄室
１３  更衣室
１４  洗浄装置
１５  気密扉
１６  バイパスダクト
１７  逆流防止機構（逆流防止弁）
１８  弁体
【図１】
0004968690.tif 000002
【図２】
0004968690.tif 000003
【図３】
0004968690.tif 000004
【図４】
0004968690.tif 000005